(57)【要約】【課題】使い勝手を向上し得る洗濯機を提供することを目的とする。【解決手段】洗濯物を収容する洗濯槽３を収容する本体１と、洗濯行程を選択する第一の操作表示部１６と、本体１上部に形成され、洗濯槽３に洗剤を投入する洗剤投入部１７と、洗剤投入部１７からの洗剤の投入を選択する第二の操作表示部２１とを備え、第二の操作表示部２１を洗剤投入部１７の近傍に配設する。洗剤投入部からの洗剤の投入を選択する第２の操作表示部を洗剤投入部の近くに配置することで、操作性が向上し、使い勝手が向上する。【選択図】図２
2019034005.tif 000002
【特許請求の範囲】
【請求項１】
洗濯物を収容する洗濯槽を収容する本体と、洗濯行程を選択する第一の操作表示部と、前記本体上部に形成され、前記洗濯槽に洗剤を投入する洗剤投入部と、前記洗剤投入部からの洗剤の投入を選択する第二の操作表示部とを備え、前記第二の操作表示部を前記洗剤投入部の近傍に配設したことを特徴とする洗濯機。
【請求項２】
前記第二の操作表示部は、前記洗剤投入部からの洗剤投入を選択する洗剤投入操作部を有し、前記洗剤投入部を開閉自在に閉塞する蓋体を設け、前記蓋体は、前記洗剤投入操作部を覆うことを特徴とする請求項１に記載の洗濯機。
【請求項３】
前記第二の操作表示部は、前記洗剤投入部に向かって傾斜して配設したことを特徴とする請求項１または２に記載の洗濯機。
【請求項４】
前記第二の操作表示部の両側には、前記洗剤投入部に連通する溝部を形成する請求項１から３のいずれか１項に記載の洗濯機。
【請求項５】
前記本体には、前記第二の操作表示部が収納される範囲の左右辺に、前記洗剤投入部に連通する溝部を設けた請求項１から４のいずれか１項に記載の洗濯機。
【請求項６】
前記第二の操作表示部の前辺には、前記本体の溝部に連通する溝部が設けられるとともに、前記第二の操作表示部は、前記本体に上方から覆われる請求項５に記載の洗濯機。
【請求項７】
前記第二の操作表示部には、底部の前記洗剤投入部寄りに水抜き孔を設けた請求項１から６のいずれか１項に記載の洗濯機。
【発明の詳細な説明】
【技術分野】
【０００１】
本発明は、洗い工程、すすぎ工程、脱水工程の少なくとも１つが行える洗濯機に関するものである。
【背景技術】
【０００２】
従来、洗濯物を収容する洗濯槽に、液体洗剤を児童投入する潜在自動投入装置を備えた洗濯機が提案されている（例えば、特許文献１参照）。
【０００３】
特許文献１に示す洗濯機は、図１１に示すように、洗濯兼脱水槽１０１は、底面に撹拌翼１０２を回転自在に配設し、洗濯兼脱水槽１０１の外側に外槽１０３を設けている。外槽１０３の底面には洗濯兼脱水槽１０１と撹拌翼１０２を駆動するモータ１０４を取りつけ、駆動部の切り替えを行うクラッチ装置１０５を介して洗濯兼脱水槽１０１または撹拌翼１０２を駆動するように構成している。また、外槽１０３は、洗濯機本体１０６にサスペンション１０７を介して防振支持している。洗濯兼脱水槽１０１の上部には、液体を内封した流体バランサー１０８を固定し、外槽１０３の上面は、外槽カバー１０９によって覆われている。
【０００４】
洗濯機本体１０６の上部は、制御装置１１０、給水弁１１１、給水経路１１２等を配設した上部枠体１１３によって覆われている。上部枠体１１３の略中央には、衣類の出し入れを行う衣類投入用開口部を有し、この衣類投入用開口部に蓋体１１４を開閉自在に配設している。
【０００５】
上部枠体１２０は、洗濯機本体１０６の上部を覆い、上部枠体１２０に設けた衣類投入用開口部１２１を蓋体１２２により開閉自在に覆い、制御装置１１０、給水弁１１１、給水経路１１２等を設けている。上部枠体１２０内に、洗濯槽１０１内に液体洗剤１１５を投入する洗剤自動投入装置１２３を装着する構成としている。
【０００６】
洗剤自動投入装置１２３は、液体洗剤１１５と洗剤タンク１１６と洗剤投入装置１１９とで構成し、洗剤タンク１１６の補給口１１７をキャップ１１８によって覆い、洗剤投入装置１１９は、自動ポンプにより洗剤タンク１１６内の液体洗剤１１５を洗濯槽１０１内に投入するもので、操作表示部１１０により動作を選択するように構成している。
【０００７】
操作表示部１１０には、各種運転コースの選択や、洗い、すすぎ時間の設定などができる設定ボタンや表示ランプ、及び電源入り、切、スタートボタンが設けられており、使用者は、これらの設定をした後、運転をスタートする。運転をスタートすると、洗濯物の量に応じた液体洗剤１１５が洗濯槽１０１内に投入される。
【先行技術文献】
【特許文献】
【０００８】
【特許文献１】特開２００４−３１３２３４号公報
【発明の概要】
【発明が解決しようとする課題】
【０００９】
しかしながら、従来の洗濯機は、限られたスペースの操作表示部に、各種運転コースの選択や、洗い、すすぎ時間の設定などを行なう設定ボタンや表示ランプ、電源ボタン、スタートボタンが設けられ、さらに、洗剤、柔軟剤の投入に関する設定ボタンや表示ランプが配置されているため、設定ボタンや表示ランプが込み合って見難くなり、使いにくいと
いう課題があった。
【００１０】
本発明は、前記従来の課題を解決するもので、使い勝手を向上し得る洗濯機を提供することを目的とする。
【課題を解決するための手段】
【００１１】
前記従来の課題を解決するために、本発明の洗濯機は、洗濯物を収容する洗濯槽を収容する本体と、洗濯行程を選択する第一の操作表示部と、前記本体上部に形成され、前記洗濯槽に洗剤を投入する洗剤投入部と、前記洗剤投入部からの洗剤の投入を選択する第二の操作表示部とを備え、前記第二の操作表示部を前記洗剤投入部の近傍に配設するものである。
【００１２】
このような構成により、洗剤投入に関係した設定、表示をする場所を洗剤投入部の近くに洗剤投入部からの洗剤の投入を選択する第２の操作表示部を配置することで、操作性が向上し、使い勝手が向上する。
【発明の効果】
【００１３】
本発明の洗濯機は、操作性を向上することができ、使い勝手を向上することができる。
【図面の簡単な説明】
【００１４】
【図１】本発明の実施の形態に係るドラム式洗濯機の全体斜視図
【図２】同ドラム式洗濯機のカバーを閉じた状態の要部斜視図
【図３】同ドラム式洗濯機の縦断面図
【図４】同ドラム式洗濯機の洗剤投入部の要部斜視図
【図５】同ドラム式洗濯機の第二の操作表示部を外した状態の要部斜視図
【図６】同ドラム式洗濯機の第二の操作表示部の分解斜視図
【図７】同ドラム式洗濯機の第二の操作表示部回りの縦断面図
【図８】同ドラム式洗濯機の第二の操作表示部回りの横断面図
【図９】同ドラム式洗濯機の第一の操作表示部の上面図
【図１０】同ドラム式洗濯機の第二の操作表示部の上面図
【図１１】従来のドラム式洗濯機の全体斜視図
【発明を実施するための形態】
【００１５】
第１の発明は、洗濯物を収容する洗濯槽を収容する本体と、洗濯行程を選択する第一の操作表示部と、前記本体上部に形成され、前記洗濯槽に洗剤を投入する洗剤投入部と、前記洗剤投入部からの洗剤の投入を選択する第二の操作表示部とを備え、前記第二の操作表示部を前記洗剤投入部の近傍に配設するものである。
【００１６】
洗剤投入部からの洗剤の投入を選択する第二の操作表示部を洗剤投入部の近傍に配置することにより、見た目もわかり易くなるため、操作性が向上し、使い勝手が向上する。
【００１７】
第２の発明は、特に、第１の発明の前記第二の操作表示部は、前記洗剤投入部からの洗剤投入を選択する洗剤投入操作部を有し、前記洗剤投入部を開閉自在に閉塞する蓋体を設け、前記蓋体は、前記洗剤投入操作部を覆う構成としたものである。
【００１８】
洗剤投入操作部は、蓋体により覆われるので、落下した異物などにより操作されることがなく、誤操作されることがない。
【００１９】
第３の発明は、特に、第１または第２の発明の前記第二の操作表示部は、前記洗剤投入部に向かって傾斜して配設するものである。
【００２０】
第二の操作表示部は、洗剤投入部に向かって傾斜しているので、第二の操作表示部に液体が滴下した際には、液体は、洗剤投入部に向かって導くことができ、機外への水漏れを防止することができる。
【００２１】
第４の発明は、第１から第３のいずれかの発明の前記第二の操作表示部の両側には、前記洗剤投入部に連通する溝部を形成するものである。
【００２２】
この構成により、第二の操作表示部の表面に柔軟剤や水がこぼれても、溝部を通して洗剤投入部へ回収される為、機外への水漏れを防ぐことができる。
【００２３】
第５の発明は、第１から第４のいずれかの発明の前記本体には、前記第二の操作表示部が収納される範囲の左右辺に、前記洗剤投入部に連通する溝部を設けたものである。
【００２４】
この構成により、第二の操作表示部の表面に柔軟剤や水がこぼれても、溝部を通して洗剤投入部へ回収される為、機外への水漏れを防ぐことができる。
【００２５】
第６の発明は、第５の発明の前記第二の操作表示部の前辺には、前記本体の溝部に連通する溝部が設けられるとともに、前記第二の操作表示部は、一部が前記本体に上方から覆われるものである。
【００２６】
この構成により、第二の操作表示部の表面に柔軟剤や水がこぼれても、前辺が本体で覆われているので、第二の操作表示部の内部への水の浸入を防げ、防水性を向上することができる。
【００２７】
第７の発明は、第１から第６のいずれかの発明の前記第二の操作表示部には、底部の前記洗剤投入部寄りに水抜き孔を設けたものである。
【００２８】
この構成により、内部に液体が浸入した場合でも、浸入した液体を水抜き孔から排出することができ、防水性を向上することができる。
【００２９】
以下、本発明の実施の形態について、図面を参照しながら説明する。なお、この実施の形態によって本発明が限定されるものではない。
【００３０】
図３は、本発明の実施の形態のドラム式洗濯機の縦断面図である。なお、本実施の形態は、ドラム式洗濯機を実施の形態として説明するが、従来と同様に縦型洗濯機に採用してもよい。
【００３１】
図３において、本体１内に、水槽２が宙吊り状態に配設され、前記水槽２内に有底円筒形に形成された洗濯槽３が軸心方向を正面側から背面側に向けて下向きに傾斜させて、回転自在に配設されている。前記水槽２の正面側には、洗濯槽３の開口端に通じる衣類出入口４が形成されている。本体１の前面を構成する前部枠体５の前部には、上向き傾斜面が形成されている。上向き傾斜面には、開口部６が設けられており、開口部６には、開口部６を開閉自在に閉塞する蓋体９が設けられ、蓋体９を開くことにより、衣類出入口４を通じて洗濯槽３内の洗濯物を出し入れすることができる。
【００３２】
開口部６が上向き傾斜面に設けられているため、洗濯物を出し入れする作業が腰を屈めることなく実施でき、一般には横向きにある開口部から洗濯物を出し入れするドラム式洗濯機の作業性の悪さが改善されている。
【００３３】
洗濯槽３の周面には、水槽２内に通じる多数の透孔１０が形成されている。洗濯槽３は、水槽２の背面側に取り付けられたモータ１１により正転及び逆転方向に回転駆動される。前記水槽２には、注水管路１２及び排水管路１３が配管接続され、注水弁１４および排水弁１５の制御によって水槽２内への注水及び排水がなされる。
【００３４】
蓋体９の上面には、第一の操作表示部１６が配置され、本体１の上部には、洗剤投入部１７が配置されている。使用者は運転に先立ち、本体１の天面に配置された洗剤投入部蓋１８（図１および図２参照）を開け、洗剤を洗剤投入部１７に入れ、必要に応じて第一の操作表示部１６を操作する。第一の操作表示部１６の操作により、希望する運転内容を設定し、運転スタートや一時停止を行い、また運転の進行状態を認識することができる。
【００３５】
略四角形状をした蓋体９を開いて、洗濯槽３内に洗濯物を投入して運転を開始させると、注水弁１４が開き、洗剤投入部１７内に水が注水され、洗剤投入部１７の中に投入されていた洗剤を流しながら、注水管路１２を介して水槽２内に所定量の注水がなされ、モータ１１により洗濯槽３が回転駆動されて、洗濯行程が開始される。洗濯行程中の洗濯物は、洗濯槽３の回転により回転方向に持ち上げられ、落下する撹拌動作が繰り返され、洗濯がなされる。
【００３６】
所要の洗濯時間の後、排水弁１５が開き、汚れた洗濯液は排水管路１３から排出され、洗濯槽３を高速回転させる脱水動作により、洗濯物に含まれた洗濯液を脱水し、脱水の後、水槽２内に注水管路１２から注水され、すすぎ行程が実施される。すすぎ行程においても、洗濯物は、洗濯槽３の回転により撹拌動作が繰り返され、すすぎ洗いが実施される。
【００３７】
（第一の操作表示部の説明）
図１に示すように、蓋体９の横幅Ｗ１は、本体１の横幅Ｗ２とほぼ等しくし、製品正面から見える部品の分割ラインを少なくすることにより、見た目をすっきりさせ、デザイン性を向上させている。
【００３８】
蓋体９の上面に第一の操作表示部１６が設けられている。第一の操作表示部１６には、使用者が必要に応じて運転コースを選んだり、洗濯、脱水の時間を設定したりする各種の設定ボタンや、選択した内容を表示する各種の表示ランプや、電源入り、電源切りボタンや、スタートボタンといった多くのものが配置される。
【００３９】
第一の操作表示部１６のレイアウトの一例として図９に示す。銘板シート２６は、第一の操作表示部１６の表面に貼り付けられ、多くの内容を表示しなければならない。表示をわかり易く配置するためには、ある程度のスペースが必要となる。しかしながら、スペースを広げるためには、横幅Ｗ１は、これ以上増やすことはできないため、厚みＷ３を増やす必要がある。しかしながら、厚みＷ３を増やすと、洗濯槽３の奥行きを減らさねばならず、洗濯できる布量が減ることになり、厚みＷ３も簡単には増やすことはできない。
【００４０】
投入量を設定するなどの洗剤投入に関係した設定は、本体１の上面に設けられた洗剤投入部１７の近くで行えた方が使い易い。本実施の形態では、洗剤投入に関する設定を行う第二の操作表示部２１は、第一の操作表示部とは別に設けて、洗剤投入部１７の近くに配置している。第二の操作表示部２１に洗剤関係の設定、表示をさせることにより、第一の操作表示部１６の表示内容を減らすことができる。これにより、厚みＷ３を増やさなくても、ゆったりとして見易い操作表示のレイアウトが可能となる。
【００４１】
本実施の形態では、第一の操作表示部１６には、洗剤投入に関係した表示としては、使用者が洗濯物の量に応じて投入すべき洗剤の量だけが表示される。この洗剤量は、洗濯槽３内に洗濯物が投入された後、注水弁１４で給水される前に、洗濯槽３を回転させる時の
モータ１１の電流値を計測し、洗濯物の量に換算する布量検知行程の結果に応じて表示される。
【００４２】
（洗剤投入部の説明）
図４は、洗剤投入部蓋１８を開けて、本体１の天面に設けた洗剤投入部１７が見える状態を示す斜視図である。
【００４３】
図４に示すように、洗剤投入部１７の前部には、洗剤投入部（手動）２２、柔軟剤投入部（手動）２３があり、第一の操作表示部１６に表示された洗剤投入量に応じて、使用者が洗剤量を調整して手動で投入する。柔軟剤については、投入量の表示はなく、取り扱い説明書に記載された、洗剤投入量と柔軟剤の銘柄とで決まる投入量を使用者が見て、その量を手動で投入する。
【００４４】
手動の投入部である洗剤投入部（手動）２２、柔軟剤投入部（手動）２３の後方には、自動で投入される洗剤ケース（自動）２４、柔軟剤ケース（自動）２５が配設され、第二の操作表示部２１の設定ボタンで設定した投入量が、運転中に自動で投入される。
【００４５】
図１０に第二の操作表示部２１の表面に貼り付けられる銘板シート２６を示す。銘板シート２６には、自動で投入される洗剤の投入量を調整する「洗剤」ボタンと、設定された投入量が「少なめ」、「標準」、あるいは「多め」かを点灯して表示する表示部が設けられている。「洗剤」ボタンの横には、自動で投入される柔軟剤の投入量を調整する「柔軟剤」ボタンと、洗剤の表示と同様に、柔軟剤の投入量の設定内容を表示する表示部が設けられている。
【００４６】
図２に示すように、第二の操作表示部２１を本体１の天面の洗剤投入部１７の近くに組んだ状態では、銘板シート２６の前部ａの範囲は、本体１に上方から覆われ、洗剤投入部蓋１８を閉めた状態では、後部ｃの範囲は、洗剤投入部蓋１８で覆われて、中央部ｂの範囲だけが見える状態となる。
【００４７】
使用者が手動で洗剤を入れる場合には、洗濯物を洗濯槽３内に投入後に運転をスタートさせると、布量検知行程で決められる洗剤投入量が第一の操作表示部１６に表示される。使用者はそれを見て、洗剤投入部蓋１８を開けて、洗剤投入部（手動）２２に手動で投入する。
【００４８】
一方、自動で洗剤、柔軟剤が投入されるようにする場合には、第一の操作表示部１６で運転コースなどを設定した後、スタートボタンを押す前に、洗剤投入部蓋１８を開けて、第二の操作表示部２１の後部ｃの範囲に設けられた「洗剤」ボタン、あるいは「柔軟剤」ボタンを押すことにより自動投入が設定される。自動投入が設定されると、第二の操作表示部２１の中央部ｂの範囲に設けられた「洗剤」、あるいは「柔軟剤」の表示部が点灯し、洗剤投入部蓋１８が閉められた状態でも、使用者が外から容易に認識できる。
【００４９】
第二の操作表示部２１を洗剤投入部１７の近くに設けて、洗剤と柔軟剤に関連した設定ボタンや表示を第二の操作表示部２１に配置することにより、洗剤と柔軟剤に関連した内容を近くで操作、確認できるので、操作性が向上し、使い勝手が良くなる。また、自動投入の機能の追加によって、第一の操作表示部１６の表示スペースに影響を与えることがないので、追加した機能のボタンを無理に配置することもなく、使い易いレイアウトが可能となる。
【００５０】
（第二の操作表示部の説明）
図６に第二の操作表示部２１の構成を示す。操作ベース３０にタクトスイッチやＬＥＤ
が実装されたプリント基板３１が取り付けられ、プリント基板３１を下方から覆うように底部カバー３２が設けられ、底部カバー３２がビス３３により操作ベース３０に締結される。操作ベース３０には、タクトスイッチを押す可動片や、ＬＥＤの発光を表面側に導く導光部が形成され、表面には銘板シート２６が貼り付けられる。銘板シート２６には、操作ボタンや表示部の印刷が施されるとともに、両面接着テープで操作ベース３０に強固に接着され、プリント基板３１への水の浸入を防止している。
【００５１】
図５に示すように、第二の操作表示部２１は、本体１の天面の洗剤投入部１７の前方側近傍に設けられる収納部４０に収納される。図７に第二の操作表示部２１が収納された縦断面図を示す。第二の操作表示部２１は、洗剤投入部１７に向かって傾斜して取り付けられる。本実施の形態では、第二の操作表示部２１は、少許の角度、洗剤投入部１７に向かって傾斜して、さらに詳細には、３°程度下方傾斜して取り付けられる。第二の操作表示部２１は、ビス３８で本体１に締結された後、ビス隠し３９を付け、見栄えの向上を図っている。
【００５２】
洗剤投入部１７の前方は、液体洗剤や柔軟剤などが滴下する、或いは、使用者が付着した洗剤を洗い流すなどにより、水滴が付き易い場所である。本実施の形態では、第二の操作表示部２１は、３°程度下方傾斜させることで、銘板シート２６の表面に滴下した水滴は、留まることなく洗剤投入部１７側に移動し、洗剤投入部１７内に回収される。これにより、水滴が機外に漏れる、或いは、プリント基板に付着することを防止でき、防水性を確保できる。
【００５３】
図８に第二の操作表示部２１が収納された横断面図を示す。本体１の収納部４０の左右辺には、溝部４１、４２が設けられ、溝部４１、４２は、洗剤投入部１７に向かって傾斜して形成され、洗剤投入部１７に連通している。操作ベース３０の左右辺は、収納部４０の左右辺に密接させているが、銘板シート２６に多量の水滴が垂れた場合、左右辺の隙間から収納部４０内に水滴が侵入する可能性がある。溝部４１、４２を形成することにより、水滴が溝部４１，４２を通って、洗剤投入部１７内に回収されるので、機外に漏れる、或いは、プリント基板に付着することが防止でき、防水性を確保できる。
【００５４】
図７に示すように、第二の操作表示部２１の前辺４５には、溝部４６が設けられ、本体１の収納部４０の左右辺に設けられた溝部４１、４２に連通している。銘板シート２６の前部は、収納部４０の前辺４７に密接させているが、銘板シート２６に多量の水滴が垂れた場合、銘板シート２６と前辺４７との隙間から収納部４０内に水滴が侵入する可能性がある。第二の操作表示部２１の前辺４５には、溝部４６を形成しているので、名板シート２６と前辺４７との隙間から浸入した水滴は、溝部４６から溝部４１、４２に流れ、洗剤投入部１７内に回収されるので、機外に漏れる、或いは、プリント基板に付着することが防止でき、防水性を確保できる。
【００５５】
第二の操作表示部２１の前辺４５は、本体１によって上方から覆われている。銘板シート２６は、両面接着テープで操作ベース３０に強固に貼り付けることにより、可動片３５や導光部３７を構成する孔からの水滴の侵入を防止している。銘板シート２６は、端面５０が露出していると、端面５０から吸湿して経年劣化で接着力が低下する虞がある。本実施の形態では、第二の操作表示部２１の前辺４５は、本体１内に収納することにより、端面５０が露出しない構成にすることができる。銘板シート２６の左右辺の端面５１、５２は、収納部４０の左右辺で覆い、後辺の端面５３は、操作ベース３０のリブで覆うことにより、端面５１、５２、５３から吸湿することを防止でき、経年劣化による接着力の低下を防止でき、長期に亘り防水性を確保できる。
【００５６】
図６に示すように、底部カバー３２には、底面の洗剤投入部１７寄りに水抜き孔部５５
が設けられる。底部カバー３２は、図７、図８に示すように、側壁が操作ベース３０に密接し、上部から水がかかってもプリント基板３１には、水滴が付着しないような防水構造にしている。また、虫が侵入して、プリント基板３１の導電部に接触して故障しないように、周囲の隙間は０．５ｍｍ程度に抑えている。
【００５７】
万一、何らかの原因で、底部カバー３２内に水が浸入した場合でも、水抜き孔部５５から速やかに排出されるので、プリント基板３１の故障を防ぐことができる。水抜き孔部５５は、０．５ｍｍ角のメッシュ状に形成して、虫の侵入を防止している。そして図７に示すように、底部カバー３２の底面は、洗剤投入部１７に向かって３°程度下方傾斜しているので、侵入した水は、少量であっても、水抜き孔部５５に集まり、速やかに排出され、プリント基板３１の故障を防止することができる。
【産業上の利用可能性】
【００５８】
以上のように、本発明にかかる洗濯機は、洗剤投入部の近くに第二の操作表示部を追加することで、洗剤投入に関係した設定、表示を洗剤投入部の近くに追加でき、見た目もわかり易く、使い勝手が向上する。
【符号の説明】
【００５９】
１    本体
３    洗濯槽
９    蓋体
１６  第一の操作表示部
１７  洗剤投入部
１８  洗剤投入部蓋
２１  第二の操作表示部
２２  洗剤投入部（手動）
２３  柔軟剤投入部（手動）
２４  洗剤ケース（自動）
２５  柔軟剤ケース（自動）
２６  銘板シート
３０  操作ベース
３１  プリント基板
３２  底部カバー
４０  収納部
４１、４２  本体の溝部
４６  第二の操作表示部の溝部
４７  収納部の前辺
５５  水抜き孔部
【図１】
2019034005.tif 000003
【図２】
2019034005.tif 000004
【図３】
2019034005.tif 000005
【図４】
2019034005.tif 000006
【図５】
2019034005.tif 000007
【図６】
2019034005.tif 000008
【図７】
2019034005.tif 000009
【図８】
2019034005.tif 000010
【図９】
2019034005.tif 000011
【図１０】
2019034005.tif 000012
【図１１】
2019034005.tif 000013